(57)【要約】【課題】所見の作成に不慣れな研修医でも短時間で読影レポートを作成できるようにする。【解決手段】予め複数の所見から注目語に対応する複数の定型語句を抽出するテンプレート自動作成手段３０５と、該抽出された複数の定型語句と前記注目語を対応付けて記憶するテンプレート記憶手段３０６と、新たな読影レポートの所見文および定型語句を入力する入力手段１０６と、該入力された所見文および定型語句により更新される入力位置に基づいて注目部位および注目語を判定する注目部位自動判定手段３０３、注目語自動判定手段３０４と、該判定された注目語に接続する読影レポートの例文を作成する例文作成手段３０７と、前記所見文、注目部位、注目語、複数の定型語句および例文を表示する表示手段１０７とを備えたことを特徴とする読影レポートシステム【選択図】      図３
2005031719.tif 000002
【特許請求の範囲】
【請求項１】
予め複数の所見から注目語に対応する複数の定型語句を抽出する手段と、該抽出された複数の定型語句と前記注目語を対応付けて記憶する手段と、新たな読影レポートの所見文および定型語句を入力する入力手段と、該入力された所見文および定型語句により更新される入力位置に基づいて注目部位および注目語を判定する手段と、該判定された注目語に接続する読影レポートの例文を作成する手段と、前記所見文、注目部位、注目語、複数の定型語句および例文を表示する表示手段とを備えたことを特徴とする読影レポートシステム。
【発明の詳細な説明】
【０００１】
【発明が属する技術分野】
本発明は、病院の画像診断で使用される読影レポートシステムに係り、特に読影レポートの入力手順を容易にして操作性を向上する読影レポートシステムに関するものである。
【０００２】
【従来の技術】
従来の読影レポートシステムでは、［特許文献１］に記載されるように、Ｘ線検査レポートの作成の際に、所見を入力する場合があるが、そこでは、キーボード入力が行われている。また、所見の作成には、テンプレートとなっている入力候補一覧中の文字列の選択により、診断レポートを作成することができるので、電子化されたＸ線検査レポートを少ない労力、時間で作成することができるものであった。
【０００３】
【特許文献１】
特開２００２−１２３６０５号公報
【０００４】
【発明が解決しようとする課題】
しかしながら、所見作成に不慣れな医師（研修医など）が読影レポートを作成するには、テンプレートによる入力だけでは用語候補の選択に時間を要し、その時間短縮が課題であった。
【０００５】
【課題を解決するための手段】
上記課題は、予め複数の所見から注目語に対応する複数の定型語句を抽出する手段と、該抽出された複数の定型語句と前記注目語を対応付けて記憶する手段と、新たな読影レポートの所見文および定型語句を入力する入力手段と、該入力された所見文および定型語句により更新される入力位置に基づいて注目部位および注目語を判定する手段と、該判定された注目語に接続する読影レポートの例文を作成する手段と、前記所見文、注目部位、注目語、複数の定型語句および例文を表示する表示手段とを備えたことを特徴とする読影レポートシステムによって解決される。
【０００６】
具体的には、所見を記述している検査部位の指定や、所見を記述しているときに注目している単語や文字列の指定をせずに、自動的に検査部位や注目語を判定して、注目語に適したテンプレートを複数自動的に表示する。また、注目語に応じて、注目語に接続する例文もユーザの必要に応じて表示することが可能である。また、所見テンプレートは、単語、あるいは文字列であり、マウスのクリックや、タッチペンのタッチや、マイクによる音声入力により、所見内のカーソルの位置に貼り付けることが可能である。
【０００７】
本発明の所見テンプレート入力は、所見欄へのキーボード入力や、音声入力、テンプレート入力、あるいは、他のテキストデータをコピー・ペーストした際に、カーソルの位置が変化したタイミングで、注目語を自動的に判別するために、所見を作成していく途中で、テンプレートの表示内容（例：約２０個の文字列）が動的に変化していくものである。このため、一度に表示するテンプレートの個数が少なくても、所見を作成していく途中途中でテンプレートが変化していくため、所見の文脈に合った適切なテンプレートの表示が可能である。
【０００８】
また、所見テンプレート入力画面の中に、ユーザが求める単語が表示されていない場合には、部位別の複数の所見テキストデータから、注目語に接続する文（所見の例文）を表示することが可能なため、より迅速に所見を作成していくことが可能である。さらに、注目語が意図したものではない場合には、ユーザが注目語を手動で変更することが可能であるため、必要とする所見の例文を自由に検索し、表示することが可能である。
【０００９】
【発明の実施の形態】
以下、本発明の実施形態について図面を用いて説明する。
図１は、読影レポートシステムのクライアントとサーバがネットワークで接続され、さらにモダリティにも接続している医療検査システムであり、モダリティ１０１、ネットワーク１０２、制御部１０３、データベース１０４、制御部１０５、入力部１０６、表示部１０７、データベース１０８、印刷部１０９を備えて構成されている。
【００１０】
モダリティ１０１には、Ｘ線診断装置、Ｘ線ＣＴ、ＭＲＩ、超音波診断装置等がある。
ネットワーク１０２は、ＨＵＢや、ＬＡＮケーブルから構成されている。このネットワークにより、例えば、制御部１０５からデータベース１０４にアクセスしたり、表示部１０７のモニタ上に制御部１０３のハードディスク内に保存されているＫＥＹ画像を表示したり、モダリティ１０１で獲得したＤＩＣＯＭ画像を制御部１０３の中のハードディスクへ転送したり、そして制御部１０５で作成した承認済みレポートを印刷部１０９に送信する。
【００１１】
制御部１０３は、サーバのコンピュータである。また、制御部１０３の中にあるハードディスクにはデータベース１０４を有している。デ−タベース１０４には、患者情報、検査情報、レポート情報、ユーザ情報等の読影レポートシステムの各種のテーブルが記憶され、データが管理されている。
【００１２】
制御部１０５は、クライアントのコンピュータである。制御部１０５は、入力部１０６、表示部１０７と接続しており、また内部のハードディスクにはデータベース１０８を有している。入力部１０６には、キーボード、マウス、タッチペン、マイクを使用することができる。また、表示部１０７には、液晶タブレット、あるいはＣＲＴ、液晶モニタ等を使用することが可能である。データベース１０８には、注目語に対応する複数のテンプレートの情報や、注目語辞書、単語辞書（注目語辞書にさらに助詞等が付加したもの）、検査部位毎に分類された多数のレポートの所見テキストファイルが記憶されている。
【００１３】
そして、印刷部１０９は、制御部１０５のクライアントマシンで承認されたＸ線検査レポートを印刷し、病院内に保存するカルテを作成するためのものであり、インクジェットプリンタや、ドットインパクトプリンタ等が使用できる。
【００１４】
図２は、読影レポートシステムの処理の構成である。読影レポートシステムは、起動処理２０１、ログイン処理２０２、レポート検索処理２０３、ユーザ登録処理２０４、終了処理２０５、レポート閲覧・作成・承認・印刷処理２０６、ＫＥＹ画像作成・アノテーション処理２０７、ＤＩＣＯＭ画像表示処理２０８、所見テンプレート入力処理２０９、所見テンプレート入力・例文表示処理２１０、過去検査履歴・過去レポート表示処理２１１、作成履歴表示処理２１２、音声辞書管理処理２１３、音声入力レベル調整処理２１４からなる。
【００１５】
起動処理２０１では、制御部１０５の中にあるハードディスク内に記憶してある読影レポートシステムのプログラムを実行する処理と、制御部１０３の中にあるハードディスク内に記憶されてあるＤＩＣＯＭ画像受信プログラム（患者情報や、検査情報、ＪＰＥＧ画像ファイル名等をデータベース１０４に登録するもの）や、ＪＰＥＧ画像変換プログラム（ＤＩＣＯＭ画像を、ＤＩＣＯＭ画像に含まれている付帯情報である画像サイズ、ウインドウレベル、ウインドウ幅、表示階調テーブルを用いてＪＰＥＧ画像に変換するもの）を実行する処理である。
【００１６】
ログイン処理２０２では、ユーザー名とパスワードをキーボード入力することで、データベース１０４の中に登録されたユーザのみが読影レポートシステムを利用できるようにしている。また、ユーザ毎に読影レポートシステムの利用権限（レポート閲覧のみ、レポート作成・閲覧、レポート承認、レポート承認・承認取り消し、管理者、メンテナンス者）を分けることが可能である。
また、ログイン処理２０２では、入力したユーザ名やパスワードをデータベース１０４に問い合わせ、ログインしたユーザ名に対して入力したパスワードが事前にデータベースに登録してあるものと一致した場合のみ、ログインを許可するようにしている。
【００１７】
レポート検索処理２０３は、検査区分（例：ＤＲ）、検査日、患者ＩＤ、患者名、生年月日、性別、検査部位（例：食道、胃、十二指腸）、検査Ｎｏ、依頼科、依頼医、入院外来区分、読影医、承認医、ティーチング（チェックの有無）、病棟、深達度（例：ＭＰ）、大きさ、肉眼形態（例：０ＩＩｃ）等により、レポートを検索するものである。検索したレポートは、検査日、患者ＩＤ、患者氏名、検査区分、検査Ｎｏ、検査部位、検査目的（例：術前診断）、レポートの作成状況（例：◎：承認完了、○：承認待ち、△：作成中）等が一覧表として表示される。また、全レポートボタン、未承認ボタン、承認済ボタンを各々選択することで、各々の作成状態のレポートを一覧表示することができる。
【００１８】
ここで、ティーチングとは、レポートをティーチング用に用いたい場合に使用するものであり、レポート作成画面内にティーチングチェックボックスがあり、レポート作成時に必要に応じてユーザがチェックをつけるとともに、レポート検索画面において、その部分にチェックをつけたレポートを検索できるようにしている。
【００１９】
また、深達度、大きさ、肉眼形態は、消化管検査におけるＸ線検査レポートの所見や診断名に特有な内容である。また、所見欄のテキスト情報の中に、深達度や、大きさ、肉眼形態で指定した文字列が含まれているかを論理積で検索するための検索キーである。
【００２０】
ユーザ登録処理２０４は、読影レポートシステムを利用できるユーザを新規に登録したり、システムを利用しなくなったユーザを無効にしたり、いままで無効にしていたユーザを有効にするような操作を行うものである。また、ユーザ登録を行えるのは、ログイン処理２０２において、ログインしたユーザの利用権限が、管理者やメンテナンス者の場合のみである。
終了処理２０５は、読影レポートシステムのアプリケーションを終了する処理である。
【００２１】
レポート閲覧・作成・承認・印刷処理２０６は、レポートを表示することで、ユーザにレポートの閲覧を可能にしたり、ユーザにレポートの新規作成・変更を可能にしたり、作成したレポートを承認したり、承認済みのレポートの承認を取り消したり、承認済みのレポートを院内保存用として印刷する処理である。レポートの閲覧は、ユーザが各項目やシェーマ等を変更できない状態である（例：ユーザの利用権限が閲覧のみの場合や、承認済みのレポートの場合）。また、レポート新規作成では、ユーザは、検査日、検査区分、患者ＩＤ、患者名、性別、生年月日、検査Ｎｏ、病棟、連絡先、入院／外来区分、依頼科、検査部位のような検査情報や患者情報を入力できる。また、依頼内容として、検査種別、検査目的、検査部位、コメント、ティーチングを入力することができる。また、ユーザは、マウスやタッチペンにより手書きでシェーマ（病変のスケッチ）を描画することが可能であり、あるいは、モダリティからＤＩＣＯＭ画像を受信しＪＰＥＧ画像等に変換した後、ＪＰＥＧ画像をレポートに貼り付けることでＫＥＹ画像にすることも可能である。
また、１つのレポートに対してＫＥＹ画像は複数追加可能であり、どのＫＥＹ画像をＸ線検査レポートとして印刷するかはチェックボックスをチェックすることで制御可能である。
【００２２】
検査履歴は、現在作成しているレポートの患者ＩＤと同じレポートを一覧表として表示するとともに、その中の一つのレポートについて、診断名、治療効果測定、今後の指示、コメント、所見、一次読影、二次読影、ＫＥＹ画像を詳細に表示できるものである。また、検査履歴の一覧表の項目には、検査日、検査区分、検査Ｎｏ、レポート作成状況、検査部位がある。
【００２３】
また、検査履歴の画面では、ＫＥＹ画像が小さく表示されるため、詳細な部位が分かりずらい。そのため、縮小表示されたＫＥＹ画像の表示領域をマウスや、タッチペンでクリックすると、作成時の大きさまで拡大表示されるとともに、その画面の上端に、検査日、検査Ｎｏ、患者名、患者ＩＤ、そして検査部位と検査目的が表示される。
【００２４】
作成履歴の画面では、現在画面に開いているレポートの作成日時や、レポートを作成・変更したログインユーザ名（読影医）、レポートの作成状況、診断名が一覧表示される。
【００２５】
また、レポート作成画面には、所見、診断名、治療効果測定、今後の指示、一次読影、二次読影の入力欄や、レポート検索画面において、レポートを複数選択した場合に、表示するレポートを切り替えられるボタンが設けられている。
また、レポートの作成状況が一目で分かるように、“作成中”と“承認済”というよな文字表示領域が設けられている。また、レポートシステムを使い始めたユーザに対して、現在モニタに全面表示しているレポートの作成状況を文字情報で表示したり、レポートの変更が可能であるかについて説明した文字情報を表示するメッセージ表示領域が設けられている。
【００２６】
また、レポート入力・参照画面の下部には、一時保存ボタンや、確定ボタンがある。一時保存ボタンにより、レポートの作成状況は△（作成中）になり、確定ボタンを押すと○（承認待ち）になる。このように、レポート作成者が、レポートの作成状況を表明することで、承認者が作成中のレポートをすべて見る必要はなく、承認待ちのレポートを検索して、レポートの内容確認と、レポートの承認（承認ボタン）を行うような運用が可能である。また、一度承認したレポートを修正したい場合には、ユーザの利用権限が管理者、あるいは承認取り消しの場合にのみ、レポート作成画面の下部に、承認ボタンの変わりに承認取消ボタンが表示され、そのボタンを押すことで、承認の取り消しが行え、通常通りにレポートの編集が可能になる。
【００２７】
また、レポート入力・参照画面の下部には、印刷ボタンがある。これは、現在のレポートが承認されたものである場合のみ、表示される。また、この印刷ボタンをマウスやタッチペン等で押すことで、ネットワーク１０２を介し、印刷部１０９からＸ線検査レポートを印刷することが可能である。
【００２８】
ＫＥＹ画像作成・アノテーション処理２０７は、ＫＥＹ画像作成画面をレポート作成画面より前面に表示し、医師がシャーカステン上に置いたＸ線フィルムを見ながら、病変部等をタッチペンやマウスを用いてスケッチできるような処理である。あるいは、ＤＩＣＯＭ画像表示処理２０８で表示したモダリティで取得したＤＩＣＯＭ画像（ＪＰＥＧ画像）をマウス等で選択し、ＫＥＹ画像作成画面に貼り付けることができる処理である。
また、アノテーション処理とは、手書きのシェーマやＤＩＣＯＭ画像を変換したＪＰＥＧ画像の病変部に円などを描画したり、矢印を記入したり、文字を入力する処理である。
【００２９】
ＤＩＣＯＭ画像表示処理２０８とは、まず、制御部１０３のハードディスク内にあるＤＩＣＯＭ画像を変換したＪＰＥＧ画像をネットワーク１０２を介して制御部１０５に接続してある表示部１０７に表示するものである。また、ＤＩＣＯＭ画像を変換したＪＰＥＧ画像のデフォルトの表示は、現在作成しているレポートの患者ＩＤと検査Ｎｏのものである。さらに、ＤＩＣＯＭ画像表示処理は他の患者ＩＤや、検査ＮｏのＤＩＣＯＭ画像をＪＰＧＥ画像に変換した画像を表示できるものの、レポートへの貼り付け（ＫＥＹ画像の作成）はできないようにしている。これにより、レポート作成時におけるＤＩＣＯＭ画像の貼り付けミスを未然に防ぐことが可能である。
【００３０】
また、ＤＩＣＯＭ画像表示処理２０８は、ＤＩＣＯＭ画像を変換したＪＰＥＧ画像をサムネイル表示したり、サムネイル画像をユーザがマウスやタッチペンでクリックした場合に拡大表示する等の機能を有している。
【００３１】
所見テンプレート入力処理２０９は、所見の作成の際に、画面上に、ユーザ毎、検査区分毎、分類名称毎に事前にデータベース１０４の中のテーブルに登録していたテンプレート（定型文）を表示し、必要なテンプレートを所見に貼り付けるためのものである。この所見テンプレート入力処理２０９では、ユーザ毎に、ユーザ自身で検査区分、分類名称に対応するテンプレートを追加したり、編集したり、削除することが可能である。
【００３２】
所見テンプレート入力・例文表示処理２１０は、所見テンプレート入力処理２０９と同様に、テンプレートの選択により、所見を作成するためのものである。しかし、所見テンプレート入力・例文表示処理２１０は、所見欄のカーソルの位置から、自動的に注目している検査部位や、注目語を判別することが可能であるため、所見テンプレート入力処理２０９よりも少ない操作数でテンプレート入力が可能である。
また、注目語に応じて、関連するテンプレートが自動的に表示されるとともに、ユーザーの必要に応じて、注目語に接続する所見の例文を表示することが可能である。
【００３３】
過去検査履歴・過去レポート表示処理２１１は、現在開いているレポートと同じ患者ＩＤのレポートを一覧表示するとともに、その中の一つのレポートについて診断名や、治療効果測定、今後の指示、一次読影、二次読影、ＫＥＹ画像等を表示するものである。
【００３４】
作成履歴表示処理２１２は、現在開いているレポートを新規に作成した日時や、更新・承認・印刷の日時や、そのときのログインユーザ名（読影医）、レポートの作成状況（一時保存、承認待ち、承認完了）を表示することが可能である。
音声辞書管理処理２１３は、レポートシステムにおける音声入力に使用する単語の追加や、変更、削除を行うものである。音声辞書への追加には、表記（例：鶏卵大）と読み（例：けーらんだい）を入力し、登録ボタンを押すことで登録が完了する。
【００３５】
音声入力レベル調整処理２１４は、マイクを用いて音声で所見等を入力する場合、音声の認識率が音声入力レベルに左右するため、話者の声の大小により、必要に応じて入力レベルを調整する処理である。スライドコントロールをマウスで上下に移動させることで、入力レベルを調節することが可能である。
【００３６】
図３は、所見テンプレート入力・例文表示処理２１０の構成を示すブロック図である。
所見テンプレート入力・例文表示処理２１０は、入力部１０６、所見記憶部３０１、入力位置記憶部３０２、注目部位自動判定部３０３、注目語自動判定部３０４、テンプレート自動作成部３０５、テンプレート記憶部３０６、例文作成部３０７、表示部１０７からなる。
【００３７】
入力部１０６から、レポート作成画面の中の所見欄に所見の文字情報が入力され、所見記憶部３０１に記憶される。また、同時に、入力位置記憶部３０２において、所見欄のカーソルの位置がリアルタイムで記憶される。そして、注目部位自動判定部３０３において、所見欄の内にあるカーソルの位置と、所見のテキスト情報から、注目部位を自動的に判定する。また、注目語自動判定部３０４において、所見記憶部３０１に記憶されている所見のテキスト情報と、入力位置記憶部３０２に記憶されたカーソル位置から注目語を自動的に判定する。さらに、テンプレート自動作成部３０５により事前に、注目語に対応する複数のテンプレートをテンプレート記憶部３０６に設定する。そして、注目部位自動判定部３０３と注目語自動判定部３０４の注目部位と注目語の情報から、対応した複数のテンプレートを表示部１０７に表示する。また、注目部位と注目語の情報から、例文作成部３０７により、例文作成部３０７の内部にあるハードディスク等に記憶された検査部位毎に分類された多数の所見テキスト情報から、注目語が検索され、注目語を含む文字列を抽出し、表示部１０７に表示される。
【００３８】
このように、マウスのクリックや、キーボード入力や、音声入力、テンプレート入力等で所見欄内にあるカーソルの位置が変化した場合に、注目部位、注目語が自動判定されるため、ユーザは注目部位や注目語を手動で入力する必要がなく、瞬時に適切なテンプレートを複数表示することが可能である。
【００３９】
図４に、所見テンプレート入力・例文表示処理画面４０２を示す。所見テンプレート入力・例文表示処理画面４０２はレポート入力・参照画面４０１より前面に表示され、所見テキストボックス４０３、カーソル４０４、注目部位コンボボックス４０５、注目語テキストボックス４０６、診断名コンボボックス４０７、タイプコンボボックス４０８、書式コンボボックス４０９、テンプレート４１０、所見記入項目４１１、例文表示更新ボタン４１２、例文表示テキストボックス４１３、例文表示切替ボタン４１４、所見貼り付けボタン４１５、終了ボタン４１６から構成されている。
【００４０】
注目語テキストボックス４０６には、所見入力時の注目語が表示されカーソル４０４の位置が変化するたびに注目語が検索され、該当するものがあれば注目語が更新されて表示される。また、所見テキストボックス４０３の中の所見テキスト情報とカーソル４０４の位置に応じて、注目部位コンボボックス４０５の表示が更新される。
【００４１】
また、診断名コンボボックス４０７をクリックすると検査部位に対応した診断名がリスト表示される。また、診断名コンボボックス４０７に対応してタイプコンボボックス４０８が表示される。さらに、検査部位コンボボックス４０５とタイプコンボボックス４０８に対応して、書式コンボボックス４０９が表示される。さらに、検査部位、診断名、タイプ、書式に応じて、所見記入項目４１１のリストが変化する。
【００４２】
また、ユーザが所見記入項目４１１で表示されているリストの中の項目をクリックすると、テンプレート４１０が変化する。このため、所見の記入項目にそったテンプレートの表示と、テンプレートの入力が可能である。
【００４３】
そして、貼り付けボタン４１５により、レポートの所見欄（レポート入力・参照画面４０１上）に、所見テキストボックス４０３で作成した所見を貼り付けることが可能である。また、終了ボタン４１６をクリックすることで、所見テキストボックス４０３で作成した内容を、レポートの所見欄に貼り付けずにテンプレート入力・例文表示画面４０２を閉じることが可能である。
【００４４】
図５に、注目部位自動判定部３０３の判定のフローを示す。まず、所見テキストボックス４０３のテキスト情報から、部位ラベル（例：＜Ｓｔｏｍａｃｈ＞）を検索し、位置情報（所見欄のテキストデータにおいて、何文字目にカーソルがあるか）を取得する（Ｓ５０１）。そして、所見テキストボックス４０３の中にあるカーソル４０４がどの部位ラベルの間にあるかを比較し、該当する部位名を検索する（Ｓ５０２）。そして、カーソル４０４の位置に該当する部位名を注目部位コンボボックス４０５に表示する（Ｓ５０３）。
【００４５】
図６に、注目語自動判定部３０４の判定のフローを示す。まず、所見テキストボックス４０３の所見テキスト情報と、所見内のカーソル４０４の位置を取得する（Ｓ６０１）。次に、所見のカーソル位置から前方にかけて抽出する文字列長Ｎの初期値を設定する（Ｓ６０２）。たとえば、消化管検査のレポートの所見の中で長い単語、例えばＡｄｅｎｏｍａであれば、Ｎ＝７を設定すればよい。次に、カーソル４０４の位置から前方にＮ文字分の所見を抽出する（Ｓ６０３）。次に、データベース１０８の中に記憶されている注目語辞書から、所見に入力されたＮ文字の単語を検索する（Ｓ６０４）。ここで、注目語辞書の語数は、例えば５００とすればよい。次に、データベース１０８の中の注目語辞書に抽出した単語がないかを判定する（Ｓ６０５）。もし、抽出した単語が注目語辞書に含まれる場合には、注目語を注目語テキストボックス４０６に表示して終了する（Ｓ６０６）。逆に、抽出した単語が注目語辞書に含まれない場合には、抽出する文字数Ｎが１より大きいかを判定する（Ｓ６０７）。もし、抽出する文字数Ｎが１の場合には、抽出した文字列が、注目語辞書には存在しないため、何も処理をせずに終了する。つまり、注目語が所見欄に入力されない場合、注目語テキストボックス４０６の表示は更新されない。逆に、抽出する文字数Ｎが１を越える場合には、まだ検索が終了していないため、抽出する文字数を１減算し（Ｓ６０９）、再度カーソルの前にあるＮ文字の抽出を行う（Ｓ６０３）。
【００４６】
図７に、テンプレート自動作成部３０５におけるテンプレート作成フローを示す。まず、多数の所見を用意し（例：３０００件）、多数の所見のテキスト情報を部位毎に分類する（Ｓ７０１）。検査部位には、上部消化管検査の場合、食道、胃、十二指腸であり、下部消化管検査の場合には、直腸、Ｓ字状結腸、下行結腸、横行結腸、上行結腸、盲腸、回腸末端等がある。あるいは検査部位には、空腸、回腸という場合もある。
【００４７】
部位別に分類された所見のテキストファイルから、注目語を検索し、注目語に接続するＮ文字を抽出する（Ｓ７０２）。抽出する文字列の長さＮは例えば２０であればよい。
【００４８】
次に、注目語に接続する所見のテキスト情報をデータベース１０８の中にある単語辞書を用いて、単語あるいは文字列に分解し、各単語、あるいは文字列の出現頻度を解析する（Ｓ７０３）。なお、単語辞書の語数は例えば３万とすればよい。
【００４９】
次に、出現頻度の上位から単語、あるいは文字列をＭ個抽出する（例：Ｍ＝２１個）（Ｓ７０４）。
【００５０】
そして、データベース１０８の中のテンプレート用のテーブルに，注目部位、注目語と対応つけて複数のテンプレートを登録する（Ｓ７０５）。
【００５１】
以上説明したように、本実施形態の読影レポートシステムによれば、検査部位や注目語を意識せずに、テンプレート入力機能や例文表示機能を利用できるため、研修医でも所見の作成を効率的に行うことが可能である。また、所見テキストファイルを多数用意するだけで、自動的にテンプレートの作成が可能なため、各施設、あるいは病院の科ごとに（例：病理、放射線科等）レポート作成に使用するテンプレートのカスタマイズが可能である。
【００５２】
【発明の効果】
本発明によれば、所見の作成に不慣れな研修医が読影レポートを作成する際に、用語候補の選択を適切に行えるため、その作成の時間短縮に寄与できる。
【図面の簡単な説明】
【図１】本発明の第一の実施形態の読影レポートシステムの構成を示すブロック図である。
【図２】読影レポートシステムの処理の内容を示すブロック図である。
【図３】所見テンプレート入力・例文表示処理２１０の内部構成を示すブロック図である。
【図４】レポート閲覧・作成・承認・印刷処理２０６の画面の上に表示した、所見テンプレート入力・例文表示処理２１０の画面を示す。
【図５】注目部位自動判定部３０３の判定のフローを表す図である。
【図６】注目語自動判定部３０４の判定のフローを表す図である。
【図７】テンプレート自動作成部３０５の自動作成のフローを表す図である。
【符号の説明】
１０６…入力部、１０７…表示部、３０１…所見記憶部、３０２…入力位置記憶部、３０３…注目部位自動判定部、３０４…注目語自動判定部、３０５…テンプレート自動作成部、３０６…テンプレート記憶部、３０７…例文作成部
【図１】
2005031719.tif 000003
【図２】
2005031719.tif 000004
【図３】
2005031719.tif 000005
【図４】
2005031719.tif 000006
【図５】
2005031719.tif 000007
【図６】
2005031719.tif 000008
【図７】
2005031719.tif 000009